(57)【要約】【課題】端末部分の撚りを戻したツイスト電線の各被覆電線の端部に接続された端子がコネクタハウジングに挿入されていても、ツイスト電線の端末部分に位置する複数の被覆電線を径方向に密着した状態に容易に、かつ作業者の技量に関係なく均一な出来栄えで固定することができるワイヤハーネスを提供する。【解決手段】並列に配置される複数の被覆電線１の径方向一側から各被覆電線１の外周面に当接する第１の凹湾曲面部５ｃを有する第１の保持部５ｄと、各被覆電線１の径方向他側から各被覆電線１の外周面に当接する第２の凹湾曲面部５ｅを有する第２の保持部５ｆと、第１の保持部５ｄおよび第２の保持部５ｆの各一端部の間にＵ字開口部が形成されるように、第１の保持部５ｄおよび第２の保持部５ｆの各他端部を一体に連結する連結部５ｇと、を備えたＵ字形状の電線保持具５を有する特徴とする。【選択図】図３
2017091855.tif 000002
【特許請求の範囲】
【請求項１】
複数の被覆電線を撚り合わせてなり、かつ端末部分で撚りが戻されているツイスト電線と、
前記各被覆電線の一端部に接続され、コネクタハウジングのキャビティに挿入される端子と、
湾状凹部を有し、前記湾状凹部内に、前記ツイスト電線の端末部分を受け入れて前記複数の被覆電線を電線軸方向が前記湾状凹部の奥行方向と直交するとなるようにして一平面上に並んで密着した状態に固着する電線保持具と、を備えたワイヤハーネス。
【請求項２】
前記電線保持具は、
前記湾状凹部内に径方向に密着するように並列に配置される前記各被覆電線に交差する方向に延びて、かつ前記各被覆電線の径方向一側から前記各被覆電線の外周面に当接する第１の凹湾曲面を有する第１の保持部と、
前記第１の保持部に線対称な形状で、かつ前記各被覆電線の径方向他側から前記各被覆電線の外周面に当接する第２の凹湾曲面を有する第２の保持部と、
前記第１の保持部および前記第２の保持部の各一端部の間に一端開口部が形成されるように、前記第１の保持部および前記第２の保持部の各他端部を一体に連結する連結部と、を備えていることを特徴とする請求項１に記載のワイヤハーネス。
【請求項３】
前記電線保持具は、前記第１の保持部の一端部で前記第２の保持部側を向く第１の面と前記第２の保持部で前記第１の保持部側を向く第２の面との間隔が、前記一端開口部側に向けて漸次拡がるように形成されていることを特徴とする請求項２に記載のワイヤハーネス。
【請求項４】
前記電線保持具は、前記第１の保持部、前記第２の保持部および前記連結部が、弾性変形可能な樹脂材料により一体に形成されていることを特徴とする請求項２または請求項３に記載のワイヤハーネス。
【請求項５】
前記ツイスト電線は、端末部分の前記コネクタハウジングとは反対側の端部に、粘着テープが巻き付けられたテープ巻き固定部が形成されていることを特徴とする請求項１ないし請求項４のいずれか１項に記載のワイヤハーネス。
【発明の詳細な説明】
【技術分野】
【０００１】
本発明は、ワイヤハーネスに関する。
【背景技術】
【０００２】
ツイスト電線は、例えば、２本の電線を撚り合わせたものであり、撚り合わせた電線により形成された隣り合うループで発生する磁束が交互に逆向きになって打ち消し合うため、電磁誘導の影響を少なくすることができ、外部に電磁誘導ノイズを輻射し難く、外部から電磁誘導ノイズを受けにくい、という特性を有している。
【０００３】
従来、図６（ａ）、図６（ｂ）に示すように、２本の被覆電線１を撚り合わせたツイスト電線１０を有し、各被覆電線１の芯線１ａを被覆する絶縁被覆層１ｂの一端部を皮剥ぎして露出させた各芯線１ａに端子２を接続し、端子２をコネクタハウジング３のキャビティ３ａに挿入させるようにしたワイヤハーネスＷ０が知られている（例えば、特許文献１参照）。
【０００４】
このワイヤハーネスＷ０は、ツイスト電線１０の端末部分の撚り戻し範囲Ｙで２本の被覆電線１が撚り戻されており、各端子２をコネクタハウジング３のキャビティ３ａに挿入するのに際して、各被覆電線１を取り回すための作業余長が確保されるようになっている。
【０００５】
また、ワイヤハーネスＷ０は、各端子２をコネクタハウジング３のキャビティ３ａに挿入した後に、ツイスト電線１０の端末部分の撚り戻し範囲Ｙに位置する２本の被覆電線１に粘着テープＴを巻き付けて、２本の被覆電線１を径方向に密着させるテープ巻き固定部４を形成させ、電磁誘導の影響に起因した特性インピーダンスの悪化を抑制するようになっている。
【先行技術文献】
【特許文献】
【０００６】
【特許文献１】特開２００４−７１４０４号公報
【発明の概要】
【発明が解決しようとする課題】
【０００７】
しかしながら、上述のワイヤハーネスＷ０は、端子２を挿入したキャビティ３ａに隣接する他のキャビティ３ａに、ツイスト電線１０とは別の回路を構成する電線の端子が挿入されていると、ツイスト電線１０の撚り戻し範囲Ｙに位置する２本の被覆電線１に粘着テープＴを巻き付けることが非常に行い難く、また、粘着テープＴの巻き付けを行う作業者の技量によってテープ巻き固定部４の出来栄えが相違するという問題があった。
【０００８】
本発明は、上述のような課題を解決するためになされたもので、ツイスト電線の端末部分における複数の被覆電線の一端部に接続された端子がコネクタハウジングに挿入された状態であっても、撚りが戻された複数の被覆電線を一平面上に並んで密着した状態に固定することができるワイヤハーネスを提供することを目的としている。
【課題を解決するための手段】
【０００９】
本発明に係るワイヤハーネスは、上記目的達成のため、複数の被覆電線を撚り合わせてなり、かつ端末部分で撚りが戻されているツイスト電線と、前記各被覆電線の一端部に接続され、コネクタハウジングのキャビティに挿入される端子と、湾状凹部を有し、前記湾状凹部内に、前記ツイスト電線の端末部分を受け入れて前記複数の被覆電線を電線軸方向が前記湾状凹部の奥行方向と直交するとなるようにして一平面上に並んで密着した状態に固着する電線保持具と、を備えた構成である。
【００１０】
この構成により、本発明に係るワイヤハーネスは、電線保持具の湾状凹部内に、ツイスト電線の端末部分において撚りが戻された複数の被覆電線が押し込まれ、前記複数の被覆電線が一平面上に並んで密着した状態で固着される。
【００１１】
したがって、本発明に係るワイヤハーネスは、端子がコネクタハウジングに挿入された状態であっても、電線保持具によってツイスト電線の端末部分で撚り戻された複数の被覆電線を径方向に密着した状態に容易に、かつ作業者の技量に関係なく均一な出来栄えで固定することができる。
【００１２】
本発明に係るワイヤハーネスは、前記電線保持具が、前記湾状凹部内に径方向に密着するように並列に配置される前記各被覆電線に交差する方向に延びて、かつ前記各被覆電線の径方向一側から前記各被覆電線の外周面に当接する第１の凹湾曲面を有する第１の保持部と、
前記第１の保持部に線対称な形状で、かつ前記各被覆電線の径方向他側から前記各被覆電線の外周面に当接する第２の凹湾曲面を有する第２の保持部と、前記第１の保持部および前記第２の保持部の各一端部の間に一端開口部が形成されるように、前記第１の保持部および前記第２の保持部の各他端部を一体に連結する連結部と、を備えた構成である。
【００１３】
この構成により、本発明に係るワイヤハーネスは、電線保持具の一端開口部から湾状凹部内に、ツイスト電線の端末部分において撚りが戻された複数の被覆電線が押し込まれ、各被覆電線の外周面に各被覆電線の径方向一側から第１の保持部の第１の凹湾曲面部が当接するとともに、各被覆電線の外周面に各被覆電線の径方向他側から第２の保持部の第２の凹湾曲面部が当接して本発明に係るワイヤハーネスは、電線保持具の一端開口部から湾状凹部内に向けてツイスト電線の端末部分において撚りが戻された複数の被覆電線が押し込まれ、前記複数の被覆電線が一平面上に並んで密着した状態で固着される。
【００１４】
本発明に係るワイヤハーネスは、前記電線保持具において、前記第１の保持部の一端部で前記第２の保持部側を向く第１の面と前記第２の保持部で前記第１の保持部側を向く第２の面との間隔が、前記一端開口部側に向けて漸次拡がるように形成されている構成とすることが好ましい。
【００１５】
この構成により、本発明に係るワイヤハーネスは、電線保持具の一端開口部から湾状凹部内に向けて被覆電線を押し込むと、被覆電線により第１の面と第２の面とが互いに離隔する方向に拡げられて、被覆電線を湾状凹部内に容易に収容させることができる。
【００１６】
本発明に係るワイヤハーネスは、前記電線保持具の前記第１の保持部、前記第２の保持部および前記連結部が、弾性変形可能な樹脂材料により一体に形成されている構成とすることが好ましい。
【００１７】
この構成により、本発明に係るワイヤハーネスは、電線保持具を樹脂材料の押出成形等の手法で安価に量産することができる。
【００１８】
本発明に係るワイヤハーネスは、前記ツイスト電線の端末部分の前記コネクタハウジングとは反対側の端部に、粘着テープが巻き付けられたテープ巻き固定部が形成されている構成とすることが好ましい。
【００１９】
この構成により、本発明に係るワイヤハーネスは、端子をコネクタハウジングのキャビティに挿入する際に、ツイスト電線において複数の被覆電線を撚り合わせた部分が撚り戻されることがない。
【発明の効果】
【００２０】
本発明によれば、端末部分の撚りを戻したツイスト電線の各被覆電線の端部に接続された端子がコネクタハウジングに挿入された状態であっても、ツイスト電線の端末部分に位置する複数の被覆電線を径方向に密着した状態に容易に、かつ作業者の技量に関係なく均一な出来栄えで固定することができるワイヤハーネスを提供することができる。
【図面の簡単な説明】
【００２１】
【図１】本発明の実施の形態に係るワイヤハーネスの部分斜視図であり、（ａ）は端子をコネクタハウジングに挿入する前の状態を示し、（ｂ）は端子をコネクタハウジングに挿入した後に被覆電線の撚り戻し範囲に電線保持具を装着した状態を示している。
【図２】本発明の実施の形態に係る電線保持具の斜視図である。
【図３】本発明の実施の形態に係る電線保持具を被覆電線に装着した状態の電線軸方向視図である。
【図４】本発明の実施の形態に係る電線保持具の変形例を被覆電線に装着した状態を示す電線軸方向視図である。
【図５】本発明の実施の形態に係る電線保持具の変形例単体を示す電線軸方向視図である。
【図６】従来のワイヤハーネスの部分斜視図であり、（ａ）は端子をコネクタハウジングに挿入する前の状態を示し、（ｂ）は端子をコネクタハウジングに挿入した後に被覆電線の撚り戻し範囲に粘着テープを巻き付けてテープ巻き固定部を形成させた状態を示している。
【発明を実施するための形態】
【００２２】
以下、本発明の実施の形態に係るワイヤハーネスについて図面を参照して説明する。
【００２３】
図１（ａ）、図１（ｂ）に示すように、本実施の形態に係るワイヤハーネスＷ１は、複数の被覆電線１を撚り合わせたツイスト電線１０と、各被覆電線１の一端部に接続されてコネクタハウジング３のキャビティ３ａに挿入される端子２と、Ｕ字形状を有し、かつ各被覆電線１がＵ字開口部５ａからＵ字内部５ｂに向けて径方向に押し込まれる電線保持具５と、を備えている。ここで、Ｕ字開口部５ａは、本発明における一端開口部に相当し、Ｕ字内部５ｂは、本発明における湾状凹部に相当する。
【００２４】
ツイスト電線１０は、２本の被覆電線１を撚り合わせたものである。ただし、ツイスト電線を構成する被覆電線１は、複数本であれば必要に応じて適宜変更することができる。
【００２５】
ワイヤハーネスＷ１は、ツイスト電線１０の端末部分の所定長さの撚り戻し範囲Ｙで２本の被覆電線１が撚り戻されており、各端子２をコネクタハウジング３のキャビティ３ａに挿入するのに際して、各被覆電線１を取り回すための作業余長が確保されるようになっている。
【００２６】
被覆電線１は、例えば、軟銅撚り線より形成された芯線１ａと、ポリ塩化ビニル等の樹脂材料により形成されて芯線１ａを被覆する絶縁被覆層１ｂとを有している。芯線１ａは、軟銅撚り線に限定されるものではなく、例えば、アルミニウム合金単線等の他の電線材料を適用することができる。また、絶縁被覆層１ｂは、ポリ塩化ビニル製に限定されるものではなく、他の絶縁用樹脂材料を適用することができる。
【００２７】
端子２は、図示されない雄型端子の先端接続部が挿入される角筒状の先端接続部２ａと、先端接続部２ａに一体に連なり、かつ被覆電線１の端部で露出した芯線１ａを周方向に取り囲んで芯線１ａに圧着される第１のバレル部２ｂと、第１のバレル部２ｂに一体に連なり、かつ被覆電線１の端部で絶縁被覆層１ｂを周方向に取り囲んで絶縁被覆層１ｂに圧着される第２のバレル部２ｃとを有する雌型端子である。第１のバレル部２ｂは、工具によって芯線１ａに圧着するように塑性変形され、第２のバレル部２ｃは、工具によって絶縁被覆層１ｂに圧着するように塑性変形されている。これにより、端子２は、第１のバレル部２ｂが被覆電線１の芯線１ａに接続されている。
【００２８】
端子２は、例えば、銅、または銅合金により形成され、必要に応じて表面にメッキ加工が施されている。端子２は、銅製、または銅合金製に限定されるものではなく、他の金属材料を適用することができる。さらに、端子は、雌型端子に限定されるもではなく、必要に応じて雄型端子とすることができる。
【００２９】
コネクタハウジング３は、端子２が挿入される複数のキャビティ３ａを有する雌型コネクタであり、電気的絶縁性および弾性変形可能な特性を具備した材料によって形成されている。コネクタハウジング３は、例えば、６つのキャビティ３ａを有し、ポリエステルやポリプロピレン等の樹脂材料により形成されている。キャビティ３ａの数は、６つに限定されるものではなく、複数であれば必要に応じて適宜変更することができる。また、コネクタハウジング３は、ポリエステルやポリプロピレン以外の樹脂材料により形成させることもできる。さらに、コネクタハウジングは、雌型コネクタハウジングに限定されるもではなく、必要に応じて雄型コネクタハウジングとすることができる。
【００３０】
図２、図３に示すように、電線保持具５は、Ｕ字内部５ｂに径方向に密着するように並列に配置される撚り戻し範囲Ｙの各被覆電線１に交差する方向に延びて、かつ各被覆電線１の径方向一側から各被覆電線１の外周面に当接する第１の凹湾曲面部５ｃを有する第１の保持部５ｄと、第１の保持部５ｄに線対称な形状で、かつ各被覆電線１の径方向他側から各被覆電線１の外周面に当接する第２の凹湾曲面部５ｅを有する第２の保持部５ｆと、第１の保持部５ｄおよび第２の保持部５ｆの各一端部の間にＵ字開口部５ａが形成されるように、第１の保持部５ｄおよび第２の保持部５ｆの各他端部を一体に連結する連結部５ｇと、を備えている。
【００３１】
第１の保持部５ｄは、２本の被覆電線１に対応するように２つの第１の凹湾曲面部５ｃを有している。第１の凹湾曲面部５ｃの断面半径は、被覆電線１の断面半径と略等しく形成されている。第２の保持部５ｆは、２本の被覆電線１に対応するように２つの第２の凹湾曲面部５ｅを有している。第２の凹湾曲面部５ｅの断面半径は、被覆電線１の断面半径と略等しく形成されている。これら第１の凹湾曲面部５ｃおよび第２の凹湾曲面部５ｅの数は、被覆電線１の本数に対応して適宜変更することができる。
【００３２】
第１の保持部５ｄ、第２の保持部５ｆおよび連結部５ｇは、弾性変形可能な特性を具備した材料により一体に形成されている。第１の保持部５ｄ、第２の保持部５ｆおよび連結部５ｇは、例えば、ポリエステルやポリプロピレン等の樹脂材料により一体に形成されている。そして、第１の保持部５ｄおよび第２の保持部５ｆは、外力が加わっていない定常状態では、第１の保持部５ｄと第２の保持部５ｆとが平行に相対し、長手方向中間部分を互いに離隔する方向に外力が加わると、Ｕ字開口部５ａが拡大するようになっている。第１の保持部５ｄ、第２の保持部５ｆおよび連結部５ｇは、ポリエステルやポリプロピレン以外の樹脂材料、あるいは金属材料により形成させることもできる。
【００３３】
電線保持具５は、第１の保持部５ｄの一端部において第２の保持部５ｆ側を向く第１の面Ｆ１と第２の保持部５ｆにおいて第１の保持部５ｄ側を向く第２の面Ｆ２との間隔が、Ｕ字開口部５ａ側に向けて漸次拡がるように形成されている。上述した定常状態における第１の面Ｆ１と第２の面Ｆ２との最小間隔Ｓは、被覆電線１の外径よりも小さくなるように設定されている。
【００３４】
さらに、ツイスト電線１０は、撚り戻し範囲Ｙのコネクタハウジング３とは反対側の端部に、粘着テープＴが巻き付けられたテープ巻き固定部６が形成されている。
【００３５】
以下、本実施の形態に係るワイヤハーネスＷ１の組立手順を説明する。ここで、ツイスト電線１０は、前述したように各被覆電線１の一端部に端子２が接続され、かつ端末部分の所定長さの撚り戻し範囲Ｙで２本の被覆電線１が撚り戻されることにより、端子２をコネクタハウジング３のキャビティ３ａに挿入するのに際して、各被覆電線１を取り回すための作業余長が確保されているものとする。
【００３６】
まず、各被覆電線１の一端部の端子２をコネクタハウジング３の複数のキャビティ３ａのうちの隣接しているものに挿入させる。本実施の形態においては、コネクタハウジング３の横方向に並んだ２つのキャビティ３ａのそれぞれに端子２を挿入させるようにしているが、コネクタハウジング３の縦方向に並んだ２つのキャビティ３ａのそれぞれに端子２を挿入させるようにすることもできる。
【００３７】
次いで、Ｕ字形状を有する電線保持具５に、Ｕ字開口部５ａからＵ字内部５ｂに向けて撚り戻し範囲Ｙの２本の被覆電線１を径方向に押し込み、Ｕ字内部５ｂに径方向に密着するように並列に配置された２本の被覆電線１の外周面に各被覆電線１の径方向一側から第１の保持部５ｄの第１の凹湾曲面部５ｃを当接させるとともに、２本の被覆電線１の外周面に各被覆電線１の径方向他側から第２の保持部５ｆの第２の凹湾曲面部５ｅを当接させて２本の被覆電線１を互いに密着した状態で固定させる。
【００３８】
電線保持具５は、コネクタハウジング３に対する距離とテープ巻き固定部６に対する距離とが略等しくなるように２本の被覆電線１に装着させる。これにより、撚り戻し範囲Ｙにおいて２本の被覆電線１を互いに密着して、電磁誘導の影響に起因した特性インピーダンスの悪化を抑制するようになっている。
【００３９】
電線保持具５は、当初からコネクタハウジング３に対する距離とテープ巻き固定部６に対する距離とが略等しくなるように２本の被覆電線１に装着させることに替えて、例えば、テープ巻き固定部６に近接するように２本の被覆電線１に装着させた後に、２本の被覆電線１に沿って上述した位置にずらすこともできる。
【００４０】
本実施の形態に係るワイヤハーネスＷ１の電線保持具５は、第１の保持部５ｄの一端部で第２の保持部５ｆ側を向く第１の面Ｆ１と第２の保持部５ｆで第１の保持部５ｄ側を向く第２の面Ｆ２との間隔が、Ｕ字開口部５ａ側に向けて漸次拡がるように形成されている。
【００４１】
これにより、本実施の形態に係るワイヤハーネスＷ１は、電線保持具５のＵ字開口部５ａからＵ字内部５ｂに向けて被覆電線１を押し込むと、被覆電線１により第１の面Ｆ１と第２の面Ｆ２とが互いに離隔する方向に拡げられて、被覆電線１をＵ字内部５ｂに容易に収容させることができる。
【００４２】
また、本実施の形態に係るワイヤハーネスＷ１は、電線保持具５の第１の保持部５ｄ、第２の保持部５ｆおよび連結部５ｇが、弾性変形可能なポリエステルやポリプロピレン等の樹脂材料により一体に形成され、電線保持具５の定常状態における第１の面Ｆ１と第２の面Ｆ２との最小間隔Ｓが、被覆電線１の外径よりも小さくなるように設定されている。
【００４３】
これにより、本実施の形態に係るワイヤハーネスＷ１は、２本の被覆電線１を径方向に挟持する電線保持具５の第１の保持部５ｄおよび第２の保持部５ｆによって確実に保持させることができ、しかも、電線保持具５を樹脂材料の押出成形等の手法により安価に量産することができる。
【００４４】
本実施の形態に係るワイヤハーネスＷ１は、ツイスト電線１０において撚り戻し範囲Ｙのコネクタハウジング３とは反対側の端部に、粘着テープＴが巻き付けられたテープ巻き固定部６が形成されている。
【００４５】
これにより、本実施の形態に係るワイヤハーネスＷ１は、端子２をコネクタハウジング３のキャビティ３ａに挿入する際に、ツイスト電線１０において２本の被覆電線１を撚り合わせ部分が撚り戻されることがない。
【００４６】
したがって、本実施の形態に係るワイヤハーネスＷ１は、端子２がコネクタハウジング３のキャビティ３ａに挿入されていても、電線保持具５によってツイスト電線１０の端末部分で撚り戻された２本の被覆電線１を径方向に密着した状態に容易に、かつ作業者の技量に関係なく均一な出来栄えで固定することができる。
【００４７】
図４、図５は、電線保持具の変形例を示すもので、電線保持具５Ａは、Ｕ字形状を有し、かつ３本の被覆電線１がＵ字開口部５ａからＵ字内部５ｂに向けて径方向に押し込まれるように構成されている。
【００４８】
電線保持具５Ａは、Ｕ字内部５ｂに径方向に密着するように並列に配置される３本の被覆電線１に交差する方向に延びて、かつ各被覆電線１の径方向一側から各被覆電線１の外周面に当接する第１の凹湾曲面部５ｃを有する第１の保持部５ｈと、第１の保持部５ｈに線対称な形状で、かつ各被覆電線１の径方向他側から各被覆電線１の外周面に当接する第２の凹湾曲面部５ｅを有する第２の保持部５ｉと、第１の保持部５ｈおよび第２の保持部５ｉの各一端部の間にＵ字開口部５ａが形成されるように、第１の保持部５ｈおよび第２の保持部５ｉの各他端部を一体に連結する連結部５ｇと、を備えている。
【００４９】
第１の保持部５ｈは、３本の被覆電線１に対応するように３つの第１の凹湾曲面部５ｃを有している。第１の凹湾曲面部５ｃの断面半径は、被覆電線１の断面半径と略等しく形成されている。第２の保持部５ｉは、３本の被覆電線１に対応するように３つの第２の凹湾曲面部５ｅを有している。第２の凹湾曲面部５ｅの断面半径は、被覆電線１の断面半径と略等しく形成されている。
【００５０】
第１の保持部５ｈ、第２の保持部５ｉおよび連結部５ｇは、例えば、弾性変形可能なポリエステルやポリプロピレン等の樹脂材料により一体に形成されている。そして、第１の保持部５ｈおよび第２の保持部５ｉは、外力が加わっていない定常状態では、第１の保持部５ｈと第２の保持部５ｉとが平行に相対し、長手方向中間部分を互いに離隔する方向に外力が加わると、Ｕ字開口部５ａが拡大するようになっている。第１の保持部５ｄ、第２の保持部５ｆおよび連結部５ｇは、ポリエステルやポリプロピレン以外の樹脂材料、あるいは金属材料により形成させることもできる。
【００５１】
電線保持具５は、第１の保持部５ｈの一端部において第２の保持部５ｉ側を向く第１の面Ｆ３と第２の保持部５ｉにおいて第１の保持部５ｈ側を向く第２の面Ｆ４との間隔が、Ｕ字開口部５ａ側に向けて漸次拡がるように形成されている。上述した定常状態における第１の面Ｆ３と第２の面Ｆ４との最小間隔Ｓは、被覆電線１の外径よりも小さくなるように設定されている。
【００５２】
したがって、電線保持具５Ａは、撚り戻された３本の被覆電線１を径方向に密着した状態に容易に、かつ作業者の技量に関係なく均一な出来栄えで固定することができる。
【００５３】
本発明によれば、端末部分の撚りを戻したツイスト電線の各被覆電線の端部に接続された端子がコネクタハウジングに挿入された状態であっても、ツイスト電線の端末部分に位置する複数の被覆電線を径方向に密着した状態に容易に、かつ作業者の技量に関係なく均一な出来栄えで固定することができるワイヤハーネスを提供することができ、ツイスト電線を用いるワイヤハーネスの全般に有用である。
【符号の説明】
【００５４】
１  被覆電線
２  端子
３  コネクタハウジング
５，５Ａ  電線保持具
５ａ  Ｕ字開口部（一端開口部）
５ｂ  Ｕ字内部（湾状凹部）
５ｃ  第１の凹湾曲面部
５ｄ，５ｈ  第１の保持部
５ｅ  第２の凹湾曲面部
５ｆ，５ｉ  第２の保持部
５ｇ  連結部
６  テープ巻き固定部
１０  ツイスト電線
Ｆ１，Ｆ３  第１の面
Ｆ２，Ｆ４  第２の面
Ｔ  粘着テープ
Ｗ１  ワイヤハーネス
【図１】
2017091855.tif 000003
【図２】
2017091855.tif 000004
【図３】
2017091855.tif 000005
【図４】
2017091855.tif 000006
【図５】
2017091855.tif 000007
【図６】
2017091855.tif 000008